(57)【要約】      （修正有）【課題】原画として写真を用い、現実感のある、美しいシャドーボックスを提供する。【解決手段】重ね合わせられる２枚以上の紙として写真１ａ〜１ｄを含み最前面の紙を写真１ｄとする。表現対象物において分離している部分を別々の紙で構成する。重接する２枚の紙であって、上の紙が下の紙に貼付されずに重接部分の下の紙が視認される部分を有するようにする。表現対象物が植物である場合に特に効果的であり、結婚式において使用されたブーケ等の思い出のある物をシャドーボックスとできる。【選択図】図３
0003184747.tif 000002
【実用新案登録請求の範囲】
【請求項１】
表現対象物を撮影した写真を重接させ、
前記写真の重接に用いる貼付材がシリコンボンドであり、
前記重接させる写真に前記表現対象物の同一箇所を撮影した２枚以上の写真を用いることを特徴とする、シャドーボックス。
【請求項２】
重接させる２枚以上の写真であって、上の写真が下の写真に貼付されずに重接部分の下の写真が視認される部分を有することを特徴とする、請求項１に記載のシャドーボックス。
【請求項３】
４枚以上の写真を重接させることを特徴とする、請求項２に記載のシャドーボックス。
【請求項４】
重接させる２枚以上の写真のうち少なくとも最上面の１枚を、表面側が凸となるように湾曲させ、
前記湾曲は、上の写真ほどその度合いが大きいことを特徴とする、請求項２又は３に記載のシャドーボックス。
【請求項５】
最下面の写真が台紙に貼付されない部分を有することを特徴とする、請求項１〜４のいずれか１項に記載のシャドーボックス。
【請求項６】
表現対象物が植物であることを特徴とする、請求項１〜５のいずれか１項に記載のシャドーボックス。
【考案の詳細な説明】
【技術分野】
【０００１】
本考案は、シャドーボックスに関するものである。
【背景技術】
【０００２】
原画の描かれた紙を多重に重ね合わせて遠近をつけ、立体感を持たせた装飾具として、シャドーボックスが知られている。
従来、シャドーボックスは原画としてイラスト等の人手で描かれたものを使用することが多かった。シャドーボックスの表現対象物が中世の教会等の実存しない物である場合もあることを考えれば、妥当な方法である。
シャドーボックスの作り方としては、原画を高さによって切り分けて張り重ねる方法、原画をパーツ（物体）によって切り分けて各パーツについて紙を立体的に湾曲させて張り重ねる方法、が知られていた。いずれの方法も、立体感を得ることができるが、奥行き方向に形状が不規則に変化する物の場合は必ずしも実物と同形にはならず、現実感に乏しい。
【０００３】
花束等の実存するものを表現対象物とする場合もある。この場合には写真を原画とすることができる。写真を原画とすることで実物とほぼ同じ色合いとなる。また、写真撮影時の光線による影が表れるため、現実感が増す。シャドーボックスは、奥行き方向に薄くせざるを得ず、光が当たった時の影が実物とは異なってしまう。写真には実際の光線の影が現れており、実際の光線に近い光の濃淡に見えるためである。
結婚式において使用されたブーケ等の思い出のある物を、写真を原画として実物に近い形態のシャドーボックスとすれば、価値の高い記念品となる。
【０００４】
この点、以下の技術が開示されている。
特許文献１には、原画として写真を用いる場合が開示されている。しかし、写真の具体的な使用方法が開示されているものではない。
また、思い出のある物に係る記念品としては、特許文献２に、シャドーボックスではないが、ブーケ等の「押し花」とできるものを実物の近い形で保存する方法が示されている。しかし、押し花は経時変化するため、例えば１０年以上の長期の保存には適さないものであった。また、花びら、葉、その他の要素部を、それぞれ押して原形とは異なる平坦なものにして用いるため、原形に合わせて十分な立体感を得られるものではない。また、製作工程が複雑であり、容易に製作できるものではない。
【先行技術文献】
【特許文献】
【０００５】
【特許文献１】実用新案登録第３０７３４９６号公報
【特許文献２】特許第４２０６０８５号公報
【考案の概要】
【考案が解決しようとする課題】
【０００６】
解決しようとする課題は、原画として写真を用い、現実感のある、美しいシャドーボックスを提供することである。
【課題を解決するための手段】
【０００７】
本考案のシャドーボックスは、
表現対象物を撮影した写真を重接させ、
前記写真の重接に用いる貼付材がシリコンボンドであり、
前記重接させる写真に前記表現対象物の同一箇所を撮影した２枚以上の写真を用いることを特徴とする。
【０００８】
図１に示す基本構造のものである。図は代表的な構造であり、本考案の技術的範囲は必ずしもこの構造に限定されない。
図は、例えば花を表現対象物とする場合の１枚の花びらのように、シャドーボックスにおける１つのパーツについてのものである。実際のシャドーボックスでは、図に示す形態で作成されたパーツが多く用いられる。図の上方がシャドーボックスの正面である。
写真１として、１ａ、１ｂ、１ｃ及び１ｄの４枚を用いる場合で説明する。２枚、３枚或いは５枚以上であってもよい。４枚の写真１ａ、１ｂ、１ｃ及び１ｄは、同一の写真の４枚の複製から作成されたものである。写真の画像で見ると、１ｂは１ａの一部であり、１ｃは１ｂの一部であり、１ｄは１ｃの一部である。
（Ａ）は斜視図である。４枚の写真１ａ、１ｂ、１ｃ及び１ｄが、２ｂ、２ｃ及び２ｄにおいてシリコンボンド２によって重接・貼付されている。最下面の写真２ａは、台紙３に貼付されている。
（Ｂ）は構造を示す断面図である。シャドーボックスを正面から見た場合、感覚上の形状４のように見える。写真の間のシリコンボンド２の厚みを調整して、奥行き方向の形状の変化を実現することができる。なお、シリコンボンドが見えてしまうことを避けるため、シリコンボンド２を所定の厚み以下とできるように写真の枚数を増やすことが好ましい。
【０００９】
本考案のシャドーボックスは、
重接させる２枚以上の写真であって、上の写真が下の写真に貼付されずに重接部分の下の写真が視認される部分を有することを特徴とする。
【００１０】
図２に示す構造のものである。図１と比較すると、２ｂ、２ｃ及び２ｄのシリコンボンドの幅が小さくなっている。これにより、シャドーボックスを斜め方向から見た場合には重接部分の下の写真１ｂ＋、１ｃ＋及び１ｄ＋が視認される。
１ｂ＋、１ｃ＋及び１ｄ＋に相当する部分は、実際の表現対象物においては斜めに配されている。これを複数枚（本事例では１ａを含めて４枚）の写真で表現しているものである。図１と比較すると、シリコンボンドが見えないことが確実になっている。また、例えば表現対象物が花びらである場合には、複数枚の写真がみえることでよりきらびやかな印象のシャドーボックスとなる。
【００１１】
本考案のシャドーボックスは、
４枚以上の写真を重接させることを特徴とする。
【００１２】
図１及び図２に示した構造において、奥行き方向の形状の変化をきめ細かく実現するためには、４枚以上の写真を使用することが好ましい。
多数の写真を用いて奥行き方向の形状の変化をきめ細かく実現し、十分な立体感を出すことは、本考案の特徴である。例えば、特許文献２の方法では押し花は１枚しかなく、２枚以上を用いて奥行き方向の形状の変化をきめ細かく実現することができない。
【００１３】
本考案のシャドーボックスは、
重接させる２枚以上の写真のうち少なくとも最上面の１枚を、表面側が凸となるように湾曲させ、
前記湾曲は、上の写真ほどその度合いが大きいことを特徴とする。
【００１４】
図３に示す構造のものである。シャドーボックスの作り方として各パーツについて紙を立体的に湾曲させて張り重ねる方法がある。湾曲した紙によって実物に近い形状を表現するものである。本考案においては、原画が写真（平面に射影された画像）であるので、湾曲させることによって実物との間で微細な相違が発生する。その相違が不自然にならないように、下の写真によって補うものである。
【００１５】
本考案のシャドーボックスは、
最下面の写真が台紙に貼付されない部分を有することを特徴とする。
【００１６】
図４に示す構造のものである。従来のシャドーボックスにおいては、最下面の紙は、その全てが台紙に貼付されていた。しかし、写真を用いる本考案においては、写真の印画紙に十分な強度があり、台紙に貼付されない部分を有していてもシャドーボックスの形状を形成することができる。
台紙から浮き上がった部分（図の右側のシリコンボンド２ａのない部分）を作ることができ、従来にない効果をもったシャドーボックスとなる。
【００１７】
本考案のシャドーボックスは、
表現対象物が植物であることを特徴とする。
【００１８】
結婚式において使用されたブーケ等を、写真撮影し、引き伸ばして、シャドーボックスとすることができる。また、ブーケ等と同じ大きさのシャドーボックスとすることができる。
【図面の簡単な説明】
【００１９】
【図１】図１は、基本構造を示す図である。
【図２】図２は、重接された下の写真の見え方を示す図である。
【図３】図３は、写真の湾曲を示す図である。
【図４】図４は、最下面の写真を説明する図である。
【図５】図５は、シャドーボックス及び額縁を示す図である。
【考案を実施するための形態】
【００２０】
以上、本考案のシャドーボックスに係る個別の要素技法を説明した、以下、これらの要素技法を複合して作成される、現実感のある、美しいシャドーボックスの例を示す。
【００２１】
図５は、シャドーボックス及び額縁を示す図である。
（Ａ）は、正面から見た図である。ブーケの花束及びその下方に付された茎と葉に係るシャドーボックスである。花５ａ、５ｂ、葉６、その他に係るシャドーボックスが、台紙３の上にあり、額縁７に納められている。台紙３は、ブーケの花束に合わせた色合いとできる。また、紙製でなく布製とすることや、布に刺繍を施すことを行ってもよい。
【００２２】
（Ｂ）は、台紙３及びシャドーボックスを側面から見たものを簡略化して表した図である。実際のシャドーボックスでは、花については花びらの１枚１枚を表し、茎の１本１本を表し、葉の１枚１枚を表す。図は、理解を容易にするために簡略化して、花５ａ、５ｂを１つのパーツとし、これに加えて、葉６及び１本の茎のみを表したものである。
図４に示した技法により、茎及び葉６は、台紙３に貼付されていない。花束から垂れ下がっている状態が再現されている。
図３に示した技法により、花は、現実感・立体感を持って、茎及び葉よりも前面に大きく突出している。ブーケを再現したものである。
【００２３】
以上のとおり、現実感のある、美しいシャドーボックスである。
【産業上の利用可能性】
【００２４】
現実感のある、美しいシャドーボックスであり、多くの個人による利用が考えられる。また、結婚式において使用されたブーケ等の思い出のある物をシャドーボックスとできるので、結婚式場等による利用も期待される。
【符号の説明】
【００２５】
１    写真
２    シリコンボンド
３    台紙
４    感覚上の形状
５    花
６    葉
７    額縁
【図１】
0003184747.tif 000003
【図２】
0003184747.tif 000004
【図３】
0003184747.tif 000005
【図４】
0003184747.tif 000006
【図５】
0003184747.tif 000007